(57)【要約】【課題】  自分の入れたい情報を他の人の手を借りることなく、迅速且つ容易に反映させるべく情報を変更させることが可能な複数の表示ディスプレイ装置を用いた表示ディスプレイ連結ユニットを提供することを課題とする。【解決手段】  複数の表示ディスプレイ装置を着脱自在に連結した表示ディスプレイ連結ユニットであって、外部からの情報データを受信する受信部における情報データの受信を制御する通信制御部、受信部で受信された情報データを一時的に記憶する一時記憶部及び表示画面に情報データに基づく情報を表示させる表示制御部を有する制御手段とを備え、通信制御部は、受信部が受信した情報データを一時記憶部に一時記憶させ、表示制御部は、情報データが一時記憶部に一時記憶されたことを受けて、当該情報データに基づく情報を表示画面に表示させる制御を行う。【選択図】  図１
2005114785.tif 000002
【特許請求の範囲】
【請求項１】
複数の表示ディスプレイ装置を、各当該表示ディスプレイ装置の表示画面が並設するように着脱自在に連結し、各前記表示ディスプレイ装置の表示画面において外部から受信する情報データを情報として表示させる表示ディスプレイ連結ユニットであって、
各前記表示ディスプレイ装置は、
他の前記表示ディスプレイ装置を連結させる連結手段と、
外部からの情報データを受信する受信部、当該受信部における前記情報データの受信を制御する通信制御部、前記受信部で受信された前記情報データを一時的に記憶する一時記憶部及び前記表示画面に前記情報データに基づく情報を表示させる表示制御部を有する制御手段とを備え、
前記通信制御部は、前記受信部が受信した前記情報データを前記一時記憶部に一時記憶させ、
前記表示制御部は、前記情報データが前記一時記憶部に一時記憶されたことを受けて、当該情報データに基づく情報を表示画面に表示させる制御を行うことを特徴とする表示ディスプレイ連結ユニット。
【請求項２】
前記制御手段における少なくとも前記受信部及び前記通信制御部を着脱自在に装着し電気的に接続させる接続手段を備えたことを特徴とする請求項１に記載の表示ディスプレイ連結ユニット。
【請求項３】
各前記表示ディスプレイ装置における前記制御手段は、
外部からの情報データに含まれる身元データを認識するための固有データを記憶する記憶部と、
当該記憶部に記憶した固有データと、前記受信部により受信した前記外部からの情報データに含まれる身元データとが所定の関係であるか否かを判別する判別部とを備え、
前記通信制御部は、前記判別部が前記外部からの情報データに含まれる身元データと前記固有データとが所定の関係であると判別した場合のみ、前記外部からの情報データの受信を許可するように制御することを特徴とする請求項１又は請求項２に記載の表示ディスプレイ連結ユニット。
【請求項４】
前記複数の表示ディスプレイ装置のうち少なくともいずれか一つの表示ディスプレイ装置における前記制御手段は、
外部からの情報データに含まれる身元データを認識するための固有データを他の前記表示ディスプレイ装置毎に対応付けて記憶する記憶部と、
前記外部からの情報データに含まれる身元データと、各前記表示ディスプレイ装置毎に対応付けて記憶された各固有データのいずれかとが所定の関係であるか否かを判別する判別部と、
当該判別部が所定の関係であると判別した固有データに対応する前記表示ディスプレイ装置へ前記受信した外部からの情報データを前記通信制御部の制御により送信する送信部とを備えたことを特徴とする請求項１又は請求項２に記載の表示ディスプレイ連結ユニット。
【請求項５】
前記表示ディスプレイ装置の表示画面に外部からの情報データに応じた情報が表示されている際に、当該表示ディスプレイ装置の受信部に別の外部からの情報データが受信された場合、
前記判別部が前記別の外部からの情報データに含まれる身元データと前記固有データとが所定の関係でないと判別したとき、
前記表示制御部は、前記別の外部からの情報データを前記表示ディスプレイ装置の表示画面に情報として表示させることを規制する一方、
前記通信制御部は前記外部からの情報データを送信した送信者に対して、前記別の外部からの情報データを送信することを特徴とする請求項３又は請求項４に記載の表示ディスプレイ連結ユニット。
【請求項６】
前記表示ディスプレイ装置の前記制御手段は、
データ形式を表示画面に表示可能とする表示データのデータ形式に変換するための変換部と、
前記受信した外部からの情報データのデータ形式を認識する認識部とを備え、
前記変換部は、前記認識部が認識したデータ形式を、前記表示データのデータ形式に変換させることを特徴とする請求項３乃至請求項５のいずれかに記載の表示ディスプレイ連結ユニット。
【請求項７】
前記複数の表示ディスプレイ装置は、各前記表示ディスプレイ装置において個別に情報を表示させる個別表示制御と、選択された少なくとも二つ以上の前記表示ディスプレイ装置の各前記表示画面を用いて一つの情報を表示させる組み合わせ表示制御とを適宜切替えることが可能な切替制御部を備えていることを特徴とする請求項１〜請求項６のいずれかに記載の表示ディスプレイ連結ユニット。
【発明の詳細な説明】
【技術分野】
【０００１】
本発明は、液晶やＬＥＤ等を用いた表示画面を有する複数の表示ディスプレイ装置を連結してなる表示ディスプレイ連結ユニットに関し、特に、各表示ディスプレイが個別に外部から入力されたデータに基づき情報を表示する表示ディスプレイ連結ユニットに関する。
【背景技術】
【０００２】
従来、コンサートやスポーツ競技、自動車や競馬のレースなど、各種イベントに利用することが可能な大画面を有する様々な表示ディスプレイ装置が提供されている。特許文献１では、棒状パネルユニットを一定方向に連続して複数個連結した巻き取り可能な吊り下げ式表示装置が記載されている。また、特許文献２では、複数のスクリーンの継目部分に跨って棒状部材を取り付け、棒状部材にシート材を固着して、複数のスクリーンを互いに隣接させてマルチスクリーンによる大画面を形成することが記載されている。さらに、特許文献３では、銘柄を表示する銘柄表示部と各種表示素子を用いて金融情報を表示する情報表示部とを一体化した複数の表示ユニットと、表示ユニットを制御する制御ユニットとを備え、表示ユニットは互いに接続可能となっている金融情報表示装置が記載されている。これら先行技術に示される表示ユニットでは、屋外など公共の場において、大画面を用いて情報を表示することにより、多くの人々が一度にその情報を見ることを可能とするものである。
【０００３】
【特許文献１】実用新案登録第３０２９８５２号公報
【特許文献２】特開２００１−１８３９９３号公報
【特許文献３】特開２００１−２４９６２８号公報
【発明の開示】
【発明が解決しようとする課題】
【０００４】
一方、会社の事務所内や工場内など室内において情報を表示し、多くの人々に知らせるものとして、例えば、各人の行先や予定を記載する行先掲示板や予定表などが用いられる。しかし、これら行先掲示板や予定表などの情報表示手段は、手書きによるものがほとんどである。このような手書きの情報表示手段の場合、本人がその場にいないと行先や予定の変更ができない。または、電話などを用いて情報表示手段の近くにいる人に連絡をとり、行先や予定などの情報の変更を伝言し、代わりに情報表示手段へ書き直しなどによる情報表示内容の変更をしてもらうという不便さがあった。
【０００５】
近年、携帯電話の普及によりこの電話の機能としての電子メール等が一般化してきており、本人がどこにいても連絡が容易に且つ迅速にとれるようになってきている。さらに、携帯電話によっては、文章のみならず、絵や写真、動画、音楽などの情報を伝送するという従来の電話では伝えられなかった情報内容までもが伝送できるようになっている。
【０００６】
しかしながら、このような携帯電話による伝達は、基本的には個人対個人が主たる対象であって、上述したような会社などの行先掲示板や予定表などの個人対多くの人々を対象とする伝達形態には機能させにくく、外出先からの各人の情報を迅速且つ容易に多くの人々に表示するには至らない。なお、携帯電話は、情報の提供者である個人対情報を受け取る者としての例えばアドレスを登録している特定の多くの人という伝達形態が成り立つが、この多くの人とはあくまで特定の多くの人を対象としているものであり、情報の提供者が例えばアドレスなどを知らない不特定の多くの人に情報を提供し得るものではない。
【０００７】
本発明は、個人対多くの人々を伝達対象とした行先掲示板や予定表などの情報表示手段に対して、自分の入れたい情報を他の人の手を借りることなく、迅速且つ容易に反映させるべく情報を変更させることが可能であり、更には各人の情報表示から適宜のタイミングで一つの情報表示に切り替えることが可能な複数の表示ディスプレイ装置を用いた表示ディスプレイ連結ユニットを提供することを課題とする。
【課題を解決するための手段】
【０００８】
上記課題を解決するため、本発明者は、次のような構成を有する手段を見出した。
【０００９】
（１）の発明は、複数の表示ディスプレイ装置を、各当該表示ディスプレイ装置の表示画面が並設するように着脱自在に連結し、各前記表示ディスプレイ装置の表示画面において外部から受信する情報データを情報として表示させる表示ディスプレイ連結ユニットであって、各前記表示ディスプレイ装置は、他の前記表示ディスプレイ装置を連結させる連結手段と、外部からの情報データを受信する受信部、当該受信部における前記情報データの受信を制御する通信制御部、前記受信部で受信された前記情報データを一時的に記憶する一時記憶部及び前記表示画面に前記情報データに基づく情報を表示させる表示制御部を有する制御手段とを備え、前記通信制御部は、前記受信部が受信した前記情報データを前記一時記憶部に一時記憶させ、前記表示制御部は、前記情報データが前記一時記憶部に一時記憶されたことを受けて、当該情報データに基づく情報を表示画面に表示させる制御を行うことを特徴とする。
【００１０】
（１）の発明によれば、連結された各表示ディスプレイ装置の各表示ディスプレイ装置において、外部からの情報データを通信制御部の通信制御により受信部を介して受信し、当該情報データに基づく情報を表示画面に表示させることが可能であるので、一つの表示ディスプレイ連結ユニットにおいて各表示ディスプレイ装置の表示画面で各々異なる情報を表示させ、一度に様々な情報を提供することが可能となる。また、各表示ディスプレイ装置に上記制御手段を備えているので、表示画面に情報データを情報として表示させるためのパソコンなどの端末機を用いる必要がなく、構造が大型化することを防止し、非常にコンパクトな構造とすることにより、各表示ディスプレイ装置の連結位置を容易に変更することが可能であり、作業性に優れている。
さらに、表示制御部は情報データが一時記憶部に一時記憶されたことを受けて、当該情報データに基づく情報を表示画面に表示させる制御を行うので、表示ディスプレイ連結ユニットを特に操作することなく外部からの情報データを受信し当該情報データに基づく情報を表示画面に表示させることが可能となり、外部から情報データを送信する送信者は表示ディスプレイ連結ユニットにおける表示ディスプレイ装置を用いて他の人の手を煩わすことなく多くの人に情報を適宜提供することが可能であり、非常に便利である。仮に、パソコンなどの端末機を用いて外部からの情報データを受信し、これを各表示ディスプレイ装置に振り分けて情報データを送信して表示画面に情報として表示させるには、端末機と各表示ディスプレイ装置との間に、各表示ディスプレイ装置に送信する各情報データを一旦記憶するメモリを有するルーターのような機能を有するものが必要となるが、このようなルーターのような機能を有するものを必要としない。また、ルーターのような機能を有するものを用いる必要のないこの発明によれば、各々の表示ディスプレイ装置毎に端末機を接続するというような構成点数の増加する大型化した構成に比して、構成が簡単化するとともにコストも安価させることが可能となる。
また、本発明の表示ディスプレイ連結ユニットを用いることにより、送信した情報データを情報として表示させることが可能な端末機などを持っていない相手に対しても広く情報を表示し知らしめることが可能となる。
【００１１】
（２）の発明は、（１）に記載の表示ディスプレイ連結ユニットであって、前記制御手段における少なくとも前記受信部及び前記通信制御部を着脱自在に装着し電気的に接続させる接続手段を備えたことを特徴とする。
【００１２】
（２）の発明によれば、連結された各表示ディスプレイ装置における受信部が通信制御部を備えた制御手段を接続コネクタに着脱自在に装着し電気的に接続させているので、（１）の発明における効果に加えて、一つの表示ディスプレイ連結ユニットのうち制御手段を着脱自在に装着させる表示ディスプレイ装置をいずれにするか選択することが可能であるため、例えば、表示画面に表示される情報を見る多くの人が見やすいレイアウトや、重要度の高い情報を他の表示ディスプレイ装置よりも上部に連結された表示ディスプレイ装置の表示画面に表示させるレイアウトなど、表示画面に表示させる情報を用途に応じて自在に所望のレイアウトに変更することを、制御手段の装着位置を変更するという非常に簡単な作業のみで可能とし得る。
【００１３】
（３）の発明は、（１）の発明又は（２）の発明に記載の表示ディスプレイ連結ユニットであって、各前記表示ディスプレイ装置における前記制御手段は、外部からの情報データに含まれる身元データを認識するための固有データを記憶する記憶部と、当該記憶部に記憶した固有データと、前記受信部により受信した前記外部からの情報データに含まれる身元データとが所定の関係であるか否かを判別する判別部とを備え、前記通信制御部は、前記判別部が前記外部からの情報データに含まれる身元データと前記固有データとが所定の関係であると判別した場合のみ、前記外部からの情報データの受信を許可するように制御することを特徴とする。
【００１４】
（３）の発明によれば、各表示ディスプレイ装置における制御手段は、記憶部に記憶した固有データと、外部からの情報データに含まれる身元データとが所定の関係であるか否かを判別部によって判別し、所定の関係であると判別した場合のみ、情報データの受信を許可するように制御するので、各表示ディスプレイ装置毎に使用者専用の情報表示手段として機能させることが可能となり、表示ディスプレイ連結ユニットにより多くの人に各使用者の情報をまとめて表示し得るとともに、各使用者の情報の変更を迅速に表示し得る。
【００１５】
（４）の発明は、（１）の発明又は（２）の発明に記載の表示ディスプレイ連結ユニットであって、前記複数の表示ディスプレイ装置のうち少なくともいずれか一つの表示ディスプレイ装置における前記制御手段は、外部からの情報データに含まれる身元データを認識するための固有データを他の前記表示ディスプレイ装置毎に対応付けて記憶する記憶部と、前記外部からの情報データに含まれる身元データと、各前記表示ディスプレイ装置毎に対応付けて記憶された各固有データのいずれかとが所定の関係であるか否かを判別する判別部と、当該判別部が所定の関係であると判別した固有データに対応する前記表示ディスプレイ装置へ前記受信した外部からの情報データを前記通信制御部の制御により送信する送信部とを備えたことを特徴とする。
【００１６】
（４）の発明によれば、複数の表示ディスプレイ装置のうち少なくともいずれか一つの表示ディスプレイ装置は、受信部により受信した外部からの情報データに含まれる身元データと各表示ディスプレイ装置のいずれかの固有データとが所定の関係となっているか否かを判別部により判別し、該当する表示ディスプレイ装置へ受信した情報データを送信するように制御するので、少なくともいずれか一つの表示ディスプレイ装置が各表示ディスプレイ装置への情報データを一旦受信して該当する表示ディスプレイ装置に振り分ける、いわゆるルーターのような役割を果たすため、全体としての制御構成を簡素化することが可能であり、コストを安価させることも可能となる。
【００１７】
（５）の発明は、（３）の発明又は（４）の発明に記載の表示ディスプレイ連結ユニットであって、前記表示ディスプレイ装置の表示画面に外部からの情報データに応じた情報が表示されている際に、当該表示ディスプレイ装置の受信部に別の外部からの情報データが受信された場合、前記判別部が前記別の外部からの情報データに含まれる身元データと前記固有データとが所定の関係でないと判別したとき、前記表示制御部は、前記別の外部からの情報データを前記表示ディスプレイ装置の表示画面に情報として表示させることを規制する一方、前記通信制御部は前記外部からの情報データを送信した送信者に対して、前記別の外部からの情報データを送信することを特徴とする。
【００１８】
（５）の発明によれば、別の外部からの情報データを送信した送信者は、表示ディスプレイ装置に情報を表示させた者に対して、身元データを知らなくとも、例えば、情報に対する回答や連絡事項などに関する情報データを表示ディスプレイ装置を介して非常に容易に送信することが可能となる。
【００１９】
（６）の発明は、（３）の発明乃至（５）の発明のいずれかの発明に記載の表示ディスプレイ連結ユニットであって、前記表示ディスプレイ装置の前記制御手段は、データ形式を表示画面に表示可能とする表示データのデータ形式に変換するための変換部と、前記受信した外部からの情報データのデータ形式を認識する認識部とを備え、前記変換部は、前記認識部が認識したデータ形式を、前記表示データのデータ形式に変換させることを特徴とする。
【００２０】
（６）の発明によれば、各表示ディスプレイ装置への情報データのデータ形式を認識部により認識し、変換部によって表示データのデータ形式に変換させる制御を行うので、例えばＨＴＭＬ形式など以外の様々なデータについても情報として表示画面に表示させることが可能となる。
【００２１】
（７）の発明は、（１）の発明〜（６）の発明のいずれかに記載の表示ディスプレイ連結ユニットであって、前記複数の表示ディスプレイ装置は、各前記表示ディスプレイ装置において個別に情報を表示させる個別表示制御と、選択された少なくとも二つ以上の前記表示ディスプレイ装置の各前記表示画面を用いて一つの情報を表示させる組み合わせ表示制御とを適宜切替えることが可能な切替制御部を備えていることを特徴とする。
【００２２】
（７）の発明によれば、切替制御部によって個別表示制御及び組み合わせ表示制御を適宜切替えるので、その時々の用途に応じた使い方が行え、例えば、あるときは複数人の伝言掲示板や予定表として使用でき、またあるときは大きな表示画面に広告を表示させる広告手段として使用できる。
【００２３】
本発明において、身元データとしては各々の認証データや電子メールにおけるアドレスデータなどが用いられる。
【００２４】
また、本発明においては、外部からの情報データに含まれる身元データに応じて、表示ディスプレイ装置の表示画面に情報を表示するか否かを判別するようにしてもよい。例えば、情報を広告手段として表示させる代償として所定の広告表示料金を支払うというビジネスモデルスタイルに対して、広告表示料金の支払いが成されているか否かに応じて情報を表示させるか否かの情報表示許可について予めＲＯＭなどの記憶部に記憶させ、受信部で受信した情報データに含まれる身元データにより、情報データを送信した送信者を認識して、情報表示許可が成されている送信者に対しては情報表示を許可するようにし得る。
【００２５】
さらに、情報を表示させる表示ディスプレイ装置の数が、外部から情報データを送信する送信者の数よりも少ない場合は、予め設定された送信者の優先順位に応じて、情報表示を許可あるいは規制することが可能である。例えば、一つの表示ディスプレイ装置に多数の送信者が情報データを送信して情報表示を行い得る身元データを有している場合に適用され、各送信者が情報表示を許可された期間（時間や日数など）のみ情報表示を許可するという構成とすることも可能である。
【００２６】
本発明における所定の関係とは、身元データと固有データとが一致する関係にある場合を含めて、通信制御部が外部からの情報データの受信を許可するための予め定められた関係であり、適宜設定することが可能である。
【発明の効果】
【００２７】
本発明によれば、一つの表示ディスプレイ連結ユニットにおいて各表示ディスプレイ装置の表示画面で各々異なる情報を表示させ、一度に様々な情報を提供することが可能となる。また、表示画面に情報データを情報として表示させるための別の端末機などを用いる必要がなく、構造が大型化することを防止し、非常にコンパクトな構造とすることにより、各表示ディスプレイ装置の連結位置を容易に変更することが可能であり、作業性に優れている。
【発明を実施するための最良の形態】
【００２８】
以下、本発明を実施するための最良の形態について、図面に基づいて説明する。なお、本実施形態では、液晶表示ディスプレイ連結ユニットが設置されている会社の事務所内において、外部にいる外出や出張あるいは休暇を取得している社員から予定や行先などの情報や多くの人に知らせたい情報などを、携帯電話を用いた電子メールの送信機能により情報データを送信することで、表示ディスプレイ装置の表示画面に表示させるといったシステムに基づいて説明する。
【００２９】
図１は、本実施形態における表示ディスプレイ連結ユニットを示す概略正面図である。表示ディスプレイ連結ユニット１は複数個の横長形状の形態をなす表示ディスプレイ装置２を有している。各表示ディスプレイ装置２は、複数個のＬＥＤ装置をマトリクス状に配置し、各ＬＥＤ装置の点灯・非点灯を選択制御することにより情報を表示するＬＥＤ表示パネルからなる表示画面３を有している。各表示画面３では、図１に示すように、氏名とともに、「現在、東京へ出張中。１７時に帰社予定。」といった行先や予定に関する情報や、「１８時までに残業申請書を提出してください」といった会社の事務所内にいる多くの人に広く知らせたい情報などが表示される。
また、表示ディスプレイ連結ユニット１は、各表示ディスプレイ装置２の表示画面３が高さ（縦）方向に並設され、各表示画面３の情報を一挙に視認できるように連結した構造となっている。また、各表示ディスプレイ装置２は、上端面及び下端面に設けられた連結手段４を介して他の表示ディスプレイ装置と着脱自在に装着することにより高さ方向に連結されている。本実施形態では表示ディスプレイ装置を高さ方向へ並設するように連結しているが、本発明では例えば水平方向へ並設するなど、並設する方向を限定するものでない。
【００３０】
図２に示すように、表示ディスプレイ装置２ａは、その下端面の連結手段４ａを他の表示ディスプレイ装置２ｂの上端面に設けられた連結手段４ｂに対して横方向へスライドするようにして装着させる。連結手段４ａは表示ディスプレイ装置２ａの下端面上において長手方向に沿って延設される一方、連結手段４ｂは表示ディスプレイ装置２ｂの上端面においてその長手方向に沿って延設される。
【００３１】
また、図３に示すように、連結手段４ｂは横断面視凹形状の形態をなしており、横断面視逆凸形状の形態の連結手段４ａを両側面から挟み込むような連結状態となっている。
連結手段４ｂは、左右両側に所定寸法の間隔寸法をあけて立設した所定の高さ寸法の長尺状の側壁部５と、左右の側壁部５を繋ぐ底面部６とを有している。また、左右の側壁部５では底面部６から所定の高さ寸法の位置に互いに向き合う方向へ突出した突起部７が形成されている。この突起部７は長手方向に沿って直線状に形成されている。さらに、連結手段４ｂは底面部６から上方に向かって屈曲するように形成されたストッパ８を有している。ストッパ８は、底面部６の長手方向における左右両端縁のうち何れか一方の端縁のみに形成されており、その所定の幅寸法を有している。
【００３２】
連結手段４ａは、連結手段４ｂにおける左右の側壁部５の間隔寸法よりも僅かに小さな幅寸法を有する凸部９を有している。また、凸部９の左右の側面部には所定の深さ寸法を有する凹み部１０が長手方向に沿って直線状に形成されている。
【００３３】
従って、表示ディスプレイ装置２ａを、その連結手段４ａの凸部９が他の表示ディスプレイ装置２ｂにおける連結手段４ｂの左右両側壁部５の間に入り込むようにし、且つ左右の側面部における凹み部１０が連結手段４ｂの突起部７に嵌まり込むようにして、他の表示ディスプレイ装置２ｂに対して横方向にスライド移動させて装着することにより、表示ディスプレイ装置２ａが他の表示ディスプレイ装置２ｂに対して側壁部５によって前後方向の位置ずれを規制されるとともに、突起部７によって高さ方向の位置ずれを規制される。さらに、表示ディスプレイ装置２ａを他の表示ディスプレイ装置２ｂに横方向にスライド移動させると、凸部９の一方端面がストッパ８に当接することになり、左右方向への位置ずれを規制されることになる。また、図３では示されていないが、連結手段４ｂの左右の側壁部５のうち何れか一方にネジ穴を穿設することにより、当該ネジ穴にネジを螺着させつつ連結手段４ａの凸部９を押圧したり、あるいはストッパ８にマグネットなどを貼着することにより磁性を有する凸部９の端面に対してストッパ８を当接させることにより、表示ディスプレイ装置２ａを他の表示ディスプレイ装置２ｂに対して左右方向へ位置ずれするのをより確実に規制することが可能である。
【００３４】
本実施形態においてはこのような連結構造により容易に着脱自在に装着されるので、各表示ディスプレイ装置のレイアウトを難しい取付作業することなく変更することが可能となり、例えば、各表示ディスプレイ装置毎に使用用途や使用者が決まっている場合には重要度の高い情報を行うものや会社内の役職クラスの上位のものを上部に配置されるレイアウトに変更する場合など、そのときどきの状況に応じて迅速に対応することが可能となる。
【００３５】
また、表示ディスプレイ装置２は、図４に示すように、表示画面を有する正面とは反対側の裏面に、制御手段１１を着脱自在に装着し電気的に接続させる接続手段１２を備えている。制御手段１１には、表示ディスプレイ装置２の表示画面に情報を表示させる表示制御部や外部からの情報データを受信させるなどの通信制御を行う通信制御部を備えているが、詳細については後述する。
【００３６】
接続手段１２は、表示ディスプレイ装置２の裏面におけるほぼ中央部分に設けられており、ほぼ矩形状を模るように形成されている所定の高さ寸法を有する突出部１３を備えている。突出部１３の内側の領域には、制御手段１１と電気的な接続を可能とするコネクタ１４が取着されている。また、突出部１３には、制御手段１１が装着された際の面方向への位置ずれを規制するための窪み部１５を有する規制部１６が上下の２箇所に設けられている。突出部１３の外側の領域には、突出部１３を挟んで規制部１６と対向するように設けられたコネクタ１７が設けられており、図５に示すように、このコネクタ１７を介して他の表示ディスプレイ装置と配線ケーブル１８などにより電気的な接続をなす。規制部１６の窪み部１５には、制御手段１１と電気的な接続が得られる電気的接点を有しており、当該電気的接点とコネクタ１７とは図示しない配線パターンにより電気的接点がなされている。
【００３７】
制御手段１１は、表面に形成された配線パターンにおける所定のパッド上に半導体装置を搭載した基板１９を有しており、基板１９の裏面に接続手段１２の窪み部１５に嵌合させる２つの突起部２０が各窪み部１５に対向するように形成されている。
【００３８】
次に、本実施形態における表示ディスプレイ連結ユニットの制御構造について説明する。図６は、各表示ディスプレイ装置毎に情報を表示させる情報提供者が決められている場合についてのシステム概要を説明するための説明図である。複数の表示ディスプレイ装置２を備えた表示ディスプレイ連結ユニット１は会社の事務所内に配置されており、各表示ディスプレイ装置２に対応した情報提供者が所有する携帯電話２１から送信された情報データを受信し、当該情報データに基づいた情報を各表示ディスプレイ装置２の表示画面に表示させる。
【００３９】
表示ディスプレイ装置２は、図７に制御ブロック図を示すように、表示画面３を備えたＬＥＤ表示パネルからなる表示手段２２と、各種制御機能を備えた制御手段１１とからなる。表示手段２２には、先述したように制御手段１１に着脱自在に装着し電気的に接続を可能とする接続手段１２としてのコネクタ１４が備えられている一方、制御手段１１についてもコネクタ１４に装着される複数の接続ピンが束ねられた接続手段としての接続プラグ（図示せず）が備えられている。
【００４０】
また、制御手段１１は、携帯電話２１による外部からの情報データを受信する受信部２４、当該受信部２４における情報データの受信を制御するＣＰＵなどからなる通信制御部２５、受信部２４で受信された情報データを一時的に記憶するＲＡＭなどからなる一時記憶部２６及び表示手段２２における表示画面３に情報データに基づく情報を表示させる表示制御部２７を有する。
【００４１】
通信制御部２５は、受信部２４が受信した情報データを一時記憶部２６に一時記憶させ、表示制御部２７は、情報データが一時記憶部２６に一時記憶されたことを受けて、当該情報データに基づく情報を表示画面３に表示させる制御を行う。
【００４２】
また、制御手段１１は、携帯電話２１による外部からの情報データに含まれる、例えばそれぞれの情報提供者に割り振られている認識データなどの身元データを認識するための固有データを記憶するＲＯＭなどからなる記憶部２８と、当該記憶部２８に記憶した固有データと、受信部２４により受信した外部からの情報データに含まれる身元データとが所定の関係であるか否かを判別する判別部２９とを備えている。さらに、制御手段１１は、判別部２９による身元データと固有データとが所定の関係であるか否かについての判別結果を受けて、当該判別結果に応じた受信制御を通信制御部２５に行わせるＣＰＵなどからなる制御部３０を備えている。
【００４３】
通信制御部２５は、判別部２９が外部からの情報データに含まれる身元データと固有データとが所定の関係であると判別した場合のみ、外部からの情報データの受信を許可するように制御する。
【００４４】
すなわち、制御部３０は、受信部２４に外部からの情報データが受信されたことを受けて判別部２９に上記判別を行わせ、判別結果に応じて上記情報データを受信するように通信制御部２５に受信制御させるとともに、受信した情報データを自動的に表示画面３に情報として表示させるように表示制御部２７に制御させるのである。これによって、会社の事務所内にいる他の人が表示ディスプレイ連結ユニット１を特に操作することなく携帯電話２１による外部からの情報データを受信し、当該情報データに基づく情報を表示画面３に表示させることが可能となり、外部から情報データを送信する情報提供者としての送信者は表示ディスプレイ装置２に他の人の手を煩わすことなく多くの人に情報を適宜表示させることが可能となるのである。
【００４５】
また、制御手段１１は、データ形式を表示画面に表示可能とする表示データのデータ形式に変換するための変換部３１と、受信した外部からの情報データに添付されたデータのデータ形式を認識する認識部３２とを備えている。すなわち、携帯電話２１により送信された情報データが電子メールのやりとりで用いられるＨＴＭＬ形式のデータに加えて、他のデータ形式で記憶される情報データが添付されている場合でも、変換部３１は、認識部３２が認識したデータ形式を、表示データのデータ形式に変換させるので、送信されるデータとして様々なデータ形式に対応し得、変換するための別途操作をすることなく、表示画面に情報として表示させることが可能となり非常に便利である。なお、制御手段１１には、通信制御部２５の通信制御により情報データを予め決められた送信者に対して転送する送信部３３が備えられている。なお、変換部３１では、上述したように添付されたデータのデータ形式を表示データに変化させるほかに、外部からの情報データそのものを表示データに変換させることが可能であることはいうまでもない。
【００４６】
上記実施形態においては、表示ディスプレイ連結ユニット１の各表示ディスプレイ装置２毎に情報を提供して表示させる情報提供者が予め決められているといったシステムについて説明しているが、例えば、図８に示すように、表示ディスプレイ装置２に表示される情報を見た人（ここでは情報受け手者と称する）が、情報提供者に対して情報に対する意見や回答を出したい場合であって、当該情報提供者の連絡先やアドレスなどの送信先を知らない場合に、携帯電話３１などの端末装置を用いて表示ディスプレイ装置２に情報データを送信することにより、当該情報データを表示ディスプレイ装置２の表示画面に表示させることなく、情報提供者の所有する携帯電話２１へ送信させることが可能である。
【００４７】
具体的に図７を用いて説明すると、表示ディスプレイ装置２の表示画面３に（情報提供者による）外部からの情報データに応じた情報が表示されている際に、当該表示ディスプレイ装置２の受信部２４に、（情報受け手者による）別の外部からの情報データが受信された場合、判別部２９が別の外部からの情報データに含まれる、自身のアドレスデータや認識データなどの身元データと、情報提供者の身元データに対応する固有データとが所定の関係でないと判別したとき、制御部３０の制御に従って、表示制御部２７は、別の外部からの情報データを表示ディスプレイ装置２の表示画面３に情報として表示させることを規制する一方、通信制御部２５は外部からの情報データを送信した情報提供者としての送信者に対して、情報受け手者からの別の外部からの情報データを送信するのである。
【００４８】
なお、情報受け手者が表示ディスプレイ装置２へ別の外部からの情報データを送信する際には、各表示ディスプレイ装置２への送信先としての予め決められたアドレスデータが用いられる。すなわち、各表示ディスプレイ装置毎に送信先としてのアドレスデータが予め決められており、情報提供者及び情報受け手者はこの送信先としてのアドレスデータを知っているのみで必ずしも互いのアドレスデータを知る必要が無く、各表示ディスプレイ装置２へ情報データを送信するのみで、情報提供者は広く多くの人に情報を提供し得るとともに、情報受け手者は表示ディスプレイ装置２の表示画面３に表示される情報を見ることにより当該情報に対する意見や回答などを情報提供者に送信することが可能となる。例えば、会社の事務所内に多くの社員がいてそれぞれの送信先を全て知らない場合や、駅や街などの一般の多くの人が情報を見れる状態の場所に表示ディスプレイ連結ユニット１を配置し、表示ディスプレイ装置２に情報提供者から広告などの情報を表示画面３に表示させ、一般の多くの人が全て情報提供者の送信先を知らない場合などでも、表示された情報に対する情報受け手者の意見や回答などの情報データを表示ディスプレイ装置２へ送信するのみで情報提供者へ送信させることが可能となり非常に便利である。
【００４９】
上記実施形態では、表示ディスプレイ連結ユニット１の各表示ディスプレイ装置２毎に情報を提供して表示させる情報提供者が予め決められており、各表示ディスプレイ装置２がそれぞれ外部からの情報データを受信し、当該情報データに基づいた情報を表示画面３に表示させているが、次に、表示ディスプレイ連結ユニット５１における複数の表示ディスプレイ装置５２のうち、いずれかの表示ディスプレイ装置５２ａのみが外部からの情報データを受信し、受信した情報データを送信先として該当する表示ディスプレイ装置へ振り分けるように送信するシステムについて説明する。
【００５０】
図９に示すように、情報提供者は、情報を表示させることが可能な表示ディスプレイ装置が予め決められており、携帯電話５３ａから送信される外部からの情報は、表示ディスプレイ装置５２ａにおいて表示され、携帯電話５３ｂから送信される外部からの情報は、表示ディスプレイ装置５２ｂにおいて表示され、さらに、携帯電話５３ｃから送信される外部からの情報は、表示ディスプレイ装置５２ｃにおいて表示されるといったシステムであるが、表示ディスプレイ装置５２ａにおいていずれの携帯電話５３ａ，５３ｂ，５３ｃからの情報データも受信するシステムとなっている。
【００５１】
具体的な制御構成について、図１０を参照しつつ説明する。
【００５２】
表示ディスプレイ装置５２ａは、表示画面（図示せず）を備えたＬＥＤ表示パネルからなる表示手段５４と、各種制御機能を備えた制御手段５５とからなる。表示手段５４には、先述したように制御手段５５に着脱自在に装着し電気的に接続を可能とする接続手段としてのコネクタ（いずれも図示せず）が備えられている一方、制御手段５５についてもコネクタに装着される複数の接続ピンが束ねられた接続手段としての接続プラグ（図示せず）が備えられている。
【００５３】
制御手段５５は、携帯電話５３ａ，５３ｂ，５３ｃによる外部からの情報データを受信する受信部５６、当該受信部５６における情報データの受信を制御するＣＰＵなどからなる通信制御部５７、受信部５６で受信された情報データを一時的に記憶するＲＡＭなどからなる一時記憶部５８及び表示手段５４における表示画面に情報データに基づく情報を表示させる表示制御部５９を有する。通信制御部５７は、受信部５６が受信した情報データを一時記憶部５８に一時記憶させ、表示制御部５９は、情報データが一時記憶部５８に一時記憶されたことを受けて、当該情報データに基づく情報を表示画面に表示させる制御を行う。
【００５４】
また、制御手段５５は、外部からの情報データに含まれる身元データを認識するための固有データを他の表示ディスプレイ装置５２ａ毎に対応付けて記憶する記憶部６０と、外部からの情報データに含まれる身元データと、各表示ディスプレイ装置毎に対応付けて記憶された各固有データのいずれかとが所定の関係であるか否かを判別する判別部６１と、当該判別部６１が所定の関係であると判別した固有データに対応する表示ディスプレイ装置へ受信した外部からの情報データを通信制御部５７の制御により送信する送信部６２とを備えている。判別部６１の上記判別及び判別部６１の判別結果に応じて通信制御部５７の制御により送信部６２より外部からの情報データを対応する表示ディスプレイ装置へ送信させる制御については制御部６３が行う。すなわち上述した制御フローに関するプログラムが記憶部６０に記憶されており、制御部６３はこのプログラムに沿って制御を行うことになる。
【００５５】
また、他の表示ディスプレイ装置５２ｂは、表示ディスプレイ装置５２ａと同様に、表示手段７１とこの表示手段７１に着脱自在に装着し電気的に接続が可能な制御手段７２とを有し、制御手段７２は、表示ディスプレイ装置５２ａの送信部から割り振るように送信された外部からの情報データを受信する受信部７３、当該受信部７３における情報データの受信を制御するＣＰＵなどからなる通信制御部７４、受信部７３で受信された情報データを一時的に記憶するＲＡＭなどからなる一時記憶部７５及び表示手段７１における表示画面に情報データに基づく情報を表示させる表示制御部７６を有する。通信制御部７４は、受信部７３が受信した情報データを一時記憶部７５に一時記憶させ、表示制御部７６は、情報データが一時記憶部７５に一時記憶されたことを受けて、当該情報データに基づく情報を表示画面に表示させる制御を行う。受信部７３で受信された情報データを一時記憶部７５に一時記憶させ、当該一時記憶された情報データを表示制御部７６の制御により表示画面に情報として表示させる一連のフローについては、制御部７７の制御により行われ、当該一連のフローに関するプログラムは記憶部７８に記憶されている。
【００５６】
このような構成とすることにより、受信部７３により受信した外部からの情報データに含まれる身元データと各表示ディスプレイ装置５２のいずれかの固有データとが所定の関係となっているか否かを判別部６１により判別し、該当する表示ディスプレイ装置５２へ受信した情報データを送信するように制御するので、少なくともいずれか一つの表示ディスプレイ装置５２が各表示ディスプレイ装置５２への情報データを一旦受信して該当する表示ディスプレイ装置５２に振り分ける、いわゆるルーターのような役割を果たすため、全体としての制御構成を簡素化することが可能であり、コストを安価させることも可能となる。
【００５７】
本発明の表示ディスプレイ連結ユニットでは、外部からの情報データに含まれる身元データに応じて、表示ディスプレイ装置の表示画面に情報を表示するか否かを判別するようにしてもよい。例えば、情報を広告手段として表示させる代償として所定の広告表示料金を支払うというビジネスモデルスタイルに対して、図１１に示すように、広告表示納付料金の額に応じて情報の表示を許可するか否かを決めるようにし得る。具体的には、広告表示料金の支払いが成されているか否かに応じて情報を表示させるか否かの情報表示許可について予めＲＯＭなどの記憶部に記憶させ、受信部で受信した情報データに含まれる身元データにより、情報データを送信した送信者を認識して、情報表示許可が成されている送信者に対しては情報表示を許可するようにし得る。例えば、Ａ社は１０万円の広告表示納付料金があるので情報表示が許可され、Ｂ社は３０万円の広告表示納付料金があるので情報表示が許可される一方、Ｃ社は５万円の広告表示納付料金しかないので情報表示が許可されない。もちろん、広告表示納付料金が０円の場合でも情報表示が許可されない。各情報提供者の広告表示納付料金の情報については、表示ディスプレイ連結ユニットの表示ディスプレイ装置の記憶部に入力することにより適宜記憶させればよい。表示ディスプレイ装置に設けた外部接続コネクタにマウスやキーボードなどの入力手段を接続してメンテナンス者が入力操作により、各社の広告表示納付料金を記憶部に記憶させることが可能である。
【００５８】
また、本発明では、情報を表示させる表示ディスプレイ装置の数が、外部から情報データを送信する送信者の数よりも少ない場合は、予め設定された送信者の優先順位に応じて、情報表示を許可あるいは規制することが可能であり、一つの表示ディスプレイ装置に多数の送信者が情報データを送信して情報表示を行い得る身元データを有している場合に適用され、各送信者が情報表示を許可された期間（時間や日数など）のみ情報表示を許可するという構成とすることも可能である。例えば、図１２に示すように、表示ディスプレイ装置１は、１０月１日から３日の午前中までＡ社が広告表示する権利を有し、１０月３日の午後から１０月４日までＢ社が広告表示する権利を有し、さらに、１０月５日以降はＣ社が広告表示する権利を有している。表示ディスプレイ装置２及び表示ディスプレイ装置３についてもそれぞれ情報表示を許可された期間が決められた状態となっている。
【００５９】
さらに、本発明の表示ディスプレイ連結ユニットでは、表示制御部が各表示ディスプレイ装置９１において個別に情報を表示させる個別表示制御と、選択された少なくとも二つ以上の表示ディスプレイ装置の各表示画面を用いて一つの情報を表示させる組み合わせ表示制御とを適宜切替えることが可能となっている。図１３は、組み合わせ表示制御がおこなわれた際の表示態様を示しており、５つの表示ディスプレイ装置９１を用いて一つの情報を表示している。このような構成によれば、切替制御部によって個別表示制御及び組み合わせ表示制御を適宜切替えるので、その時々の用途に応じた使い方が行え、例えば、あるときは複数人の伝言掲示板や予定表として使用でき、またあるときは大きな表示画面に広告を表示させる広告手段として使用できる。表示制御の切替えについては、別途操作ボタンなどを設けて、使用者による操作手段の操作により切替えることが可能であり、また、受信された外部からの情報データにいずれの表示制御により情報を表示させるかを区別する区別データが含まれ、この区別データに基づいて表示制御を自動的に切替えることも可能である。
【００６０】
また、本実施形態では、図１４に示すように、壁掛けタイプの表示ディスプレイ連結ユニットであるが、これに限定されるものでなく、表示ディスプレイ連結ユニット８１を支持するとともに、複数のローラ８２が配設された支持体８３を設けることにより、簡単な移動操作により移動させることを可能とし得る。
【図面の簡単な説明】
【００６１】
【図１】本実施形態の表示ディスプレイ連結ユニットを示す概略正面図であり、壁掛け用のフックを備えた表示ディスプレイ連結ユニットである。
【図２】本実施形態において、表示ディスプレイ装置を他の表示ディスプレイ装置に対して横方向にスライドしつつ連結させる状態を説明するための説明図である。
【図３】本実施形態における表示ディスプレイ装置の連結手段の構造を示す概略端面図である。
【図４】本実施形態において、表示ディスプレイ装置の裏面に設けた接続手段と、接続手段に対して着脱自在に装着する制御手段とを示す概略斜視図である。
【図５】本実施形態において、連結した２つの表示ディスプレイ装置を示す概略端面図である。
【図６】本実施形態の表示ディスプレイ連結ユニットと携帯電話などの端末機との関係を示す概略システム図である。
【図７】本実施形態の表示ディスプレイ装置の制御構成を示す制御ブロック図である。
【図８】本実施形態において、別の外部からの情報データに対して表示画面に情報を表示させずに情報提供者に情報データを転送するシステムを示す概略システム図である。
【図９】本実施形態において、一つの表示ディスプレイ装置を外部からの情報データを受信する受信基点として、他の表示ディスプレイ装置へ受信した情報データを振り分けるように送信するシステムを示す概略システム図である。
【図１０】図９のシステムに用いられる各表示ディスプレイ装置の制御構成を示す制御ブロック図である。
【図１１】表示ディスプレイ装置に情報を表示させるための広告表示料金の納付及び情報表示の許可の各々の状態を説明するための説明図である。
【図１２】各表示ディスプレイ装置毎に情報を表示させることが可能な情報提供者及び表示時間が予め決められているタイムスケジュールを説明するための説明図である。
【図１３】本発明の表示ディスプレイ連結ユニットを用いて組み合わせ表示制御を行っている際の表示態様を示す概略正面図である。
【図１４】本発明の表示ディスプレイ連結ユニットの移動式スタイルの構造を示す概略正面図である。
【符号の説明】
【００６２】
１、５１、  表示ディスプレイ連結ユニット
２、５２  各表示ディスプレイ装置
３  表示画面
４  連結手段
５  側壁部
６  底面部
７  突起部
８  ストッパ
９  凸部
１０  凹み部
１１、５５、７２  制御手段
１２  接続手段
１３  突出部
１４  コネクタ
１５  窪み部
１６  規制部
１７  コネクタ
１８  配線ケーブル
１９  基板
２０  突起部
２１  携帯電話
２２、５４、７１  表示手段
２４、５６、７３  受信部
２５、５７、７４  通信制御部
２６、５８、７５  一時記憶部
２７、５９、７６  表示制御部
２８、６０、７８  記憶部
２９、６１  判別部
３０、６３、７７  制御部
３１  変換部
３２  認識部
５３  携帯電話
６２  送信部
【図１】
2005114785.tif 000003
【図２】
2005114785.tif 000004
【図３】
2005114785.tif 000005
【図４】
2005114785.tif 000006
【図５】
2005114785.tif 000007
【図６】
2005114785.tif 000008
【図７】
2005114785.tif 000009
【図８】
2005114785.tif 000010
【図９】
2005114785.tif 000011
【図１０】
2005114785.tif 000012
【図１１】
2005114785.tif 000013
【図１２】
2005114785.tif 000014
【図１３】
2005114785.tif 000015
【図１４】
2005114785.tif 000016